(57)【要約】【課題】複数の絵文字を容易に文書に格納可能な文書処理装置を提供する。【解決手段】文書処理装置（テープ印刷装置１）は、文字を記憶する文字記憶部３４ａと、絵文字を記憶する絵文字記憶部３４ｂと、選択操作を受け付ける操作受付部（キーボード１１）と、文字および絵文字を格納する第１格納部（文書格納バッファー３２ａ）と、絵文字を格納する第２格納部（絵文字格納バッファー３２ｂ）と、文字の選択操作を受け付け、第１格納部に格納する第１の状態と、単数の絵文字の選択操作を受け付ける第２の状態と、単数または複数の絵文字の選択操作を受け付け、第２格納部に格納する第３の状態と、を切り換える制御部３０と、を備え、制御部３０は、第２の状態で第１のキーが押下されると、選択中の絵文字を第２格納部に格納して第３の状態に切換え、第３の状態で第２のキーが押下されると、第２格納部の絵文字を第１格納部に格納して第１の状態に切換える。【選択図】図３
2012113463.tif 000002
【特許請求の範囲】
【請求項１】
複数の文字の情報を記憶する文字記憶部と、
複数の絵文字の情報を記憶する絵文字記憶部と、
前記文字記憶部に記憶された文字の選択操作と、前記絵文字記憶部に記憶された絵文字の選択操作と、所定のキーの入力操作とを受け付ける操作受付部と、
選択された文字および絵文字を文字列として格納する第１格納部と、
選択された絵文字を格納する第２格納部と、
文字の選択操作を受け付け、選択された文字を順次前記第１格納部に格納する第１の状態と、単数の絵文字の選択操作を受け付ける第２の状態と、単数または複数の絵文字の選択操作を受け付け、選択された絵文字を前記第２格納部に格納する第３の状態と、を切り換える制御部と、
を備え、
前記制御部は、前記第２の状態において第１のキーが押下されると、選択中の絵文字を前記第２格納部に格納して前記第３の状態に切り換え、前記第３の状態において第２のキーが押下されると、前記第２格納部に格納された絵文字を前記第１格納部に格納して前記第１の状態に切り換えることを特徴とする文書処理装置。
【請求項２】
請求項１に記載の文書処理装置であって、
前記制御部は、前記第３の状態において、前記第１のキーの押下によって絵文字の選択操作を受け付けると、選択された絵文字を前記第２格納部に格納し、前記第３の状態を維持することを特徴とする文書処理装置。
【請求項３】
請求項１または２に記載の文書処理装置であって、
前記絵文字記憶部に記憶された絵文字を選択させるための絵文字選択画面を表示する表示部をさらに有し、
前記第３の状態において、前記表示部は前記絵文字選択画面に、前記第２格納部に格納されている絵文字を表示することを特徴とする文書処理装置。
【請求項４】
請求項３に記載の文書処理装置であって、
前記絵文字選択画面において、各絵文字は、カテゴリー毎に分類されて表示されており、
前記第３の状態において、前記操作受付部は、前記カテゴリーを変更するためのカテゴリー変更操作を受け付け、前記表示部は、前記カテゴリー変更操作によって選択された前記カテゴリーに分類される絵文字を前記絵文字選択画面に表示させることを特徴とする文書処理装置。
【請求項５】
選択された文字列に基づいた画像をテープに印刷するテープ印刷装置であって、
複数の文字の情報を記憶する文字記憶部と、
複数の絵文字の情報を記憶する絵文字記憶部と、
前記文字記憶部に記憶された文字の選択操作と、前記絵文字記憶部に記憶された絵文字の選択操作と、所定のキーの入力操作とを受け付ける操作受付部と、
選択された文字および絵文字を前記文字列として格納する第１格納部と、
選択された絵文字を格納する第２格納部と、
文字の選択操作を受け付け、選択された文字を順次前記第１格納部に格納する第１の状態と、単数の絵文字の選択操作を受け付ける第２の状態と、単数または複数の絵文字の選択操作を受け付け、選択された絵文字を前記第２格納部に格納する第３の状態と、を切り換える制御部と、
を備え、
前記制御部は、前記第２の状態において第１のキーが押下されると、選択中の絵文字を前記第２格納部に格納して前記第３の状態に切り換え、前記第３の状態において第２のキーが押下されると、前記第２格納部に格納された絵文字を前記第１格納部に格納して前記第１の状態に切り換えることを特徴とするテープ印刷装置。
【請求項６】
複数の文字の情報を記憶する文字記憶部と、複数の絵文字の情報を記憶する絵文字記憶部と、前記文字記憶部に記憶された文字の選択操作と、前記絵文字記憶部に記憶された絵文字の選択操作と、所定のキーの入力操作とを受け付ける操作受付部と、選択された文字および絵文字を文字列として格納する第１格納部と、選択された絵文字を格納する第２格納部と、を有する文書処理装置の制御方法であって、
文字の選択操作を受け付け、選択された文字を順次前記第１格納部に格納する第１の状態と、単数の絵文字の選択操作を受け付ける第２の状態と、単数または複数の絵文字の選択操作を受け付け、選択された絵文字を前記第２格納部に格納する第３の状態と、を切り換える制御ステップを備え、
前記制御ステップには、
前記第２の状態において第１のキーが押下されると、選択中の絵文字を前記第２格納部に格納して前記第３の状態に切り換えるステップと、
前記第３の状態において第２のキーが押下されると、前記第２格納部に格納された絵文字を前記第１格納部に格納して前記第１の状態に切り換えるステップと、
を備えることを特徴とする文書処理装置の制御方法。
【請求項７】
コンピューターに、請求項６に記載の文書処理装置の制御方法における各ステップを実行させるためのプログラム。
【発明の詳細な説明】
【技術分野】
【０００１】
本発明は、文書処理装置、テープ印刷装置、文書処理装置の制御方法、およびプログラムに関する。
【背景技術】
【０００２】
従来、テープ印刷装置などの文書処理装置において、通常の文字以外の様々な記号や絵文字が記憶されたものが知られている。このような文書処理装置においては、ユーザーが記号・絵文字選択画面によって記号や絵文字を選択して、編集中の文書（文字列）に挿入することが可能となっている。特許文献１には、絵文字指定データ記憶手段に記憶された複数の絵文字指定データの中から、ランダムに１つの絵文字指定データを選択して印刷する印刷装置（テープ印刷装置）が開示されている。
【先行技術文献】
【特許文献】
【０００３】
【特許文献１】特開２００２−１０３６９５号公報
【発明の概要】
【発明が解決しようとする課題】
【０００４】
しかしながら、従来のテープ印刷装置などの文書処理装置の記号・絵文字選択画面では、記号や絵文字を１つずつ読み出すことしかできなかった。このため、複数の記号や絵文字を読み出して編集中の文書に挿入するためには、記号・絵文字選択画面を表示させて記号や絵文字を選択する操作を複数回行わなければならず、手間が掛かるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る文書処理装置は、複数の文字の情報を記憶する文字記憶部と、複数の絵文字の情報を記憶する絵文字記憶部と、前記文字記憶部に記憶された文字の選択操作と、前記絵文字記憶部に記憶された絵文字の選択操作と、所定のキーの入力操作とを受け付ける操作受付部と、選択された文字および絵文字を文字列として格納する第１格納部と、選択された絵文字を格納する第２格納部と、文字の選択操作を受け付け、選択された文字を順次前記第１格納部に格納する第１の状態と、単数の絵文字の選択操作を受け付ける第２の状態と、単数または複数の絵文字の選択操作を受け付け、選択された絵文字を前記第２格納部に格納する第３の状態と、を切り換える制御部と、を備え、前記制御部は、前記第２の状態において第１のキーが押下されると、選択中の絵文字を前記第２格納部に格納して前記第３の状態に切り換え、前記第３の状態において第２のキーが押下されると、前記第２格納部に格納された絵文字を前記第１格納部に格納して前記第１の状態に切り換えることを特徴とする。
【０００７】
このような文書処理装置によれば、制御部は、文字の選択操作を受け付ける第１の状態と、単数の絵文字（以降、記号も絵文字とする）の選択操作を受け付ける第２の状態と、単数または複数の絵文字の選択操作を受け付ける第３の状態とを切り換える。そして、制御部は、第２の状態において第１のキーが押下されると、選択中の絵文字を第２格納部へ格納させて、第３の状態への切り換えを行い、第３の状態において第２のキーが押下されると、第２格納部の絵文字を第１格納部へ格納させて、第１の状態への切り換えを行う。これにより、絵文字を第２格納部へ格納する処理および第３の状態への切り換えを、１回のキー操作（第１のキーの押下）によって行うことができる。そして、第３の状態では複数の絵文字の選択操作を受け付けることが可能となる。さらに、選択された絵文字を第１格納部へ格納する処理および第１の状態への切り換えを、１回のキー操作（第２のキーの押下）によって行うことができる。このように、ユーザーは、複数の絵文字を１つずつ第１格納部に格納する操作を繰り返して行う必要がないため、操作性を向上することができる。
【０００８】
［適用例２］上記適用例に係る文書処理装置において、前記制御部は、前記第３の状態において、前記第１のキーの押下によって絵文字の選択操作を受け付けると、選択された絵文字を前記第２格納部に格納し、前記第３の状態を維持することを特徴とする。
【０００９】
このような文書処理装置によれば、第３の状態においては、第１のキーの押下によって選択された絵文字を第２格納部に格納し、第３の状態を維持する。これにより、絵文字選択画面を表示した第３の状態で、複数の絵文字を連続して選択することができる。
【００１０】
［適用例３］上記適用例に係る文書処理装置において、前記絵文字記憶部に記憶された絵文字を選択させるための絵文字選択画面を表示する表示部をさらに有し、前記第３の状態において、前記表示部は前記絵文字選択画面に、前記第２格納部に格納されている絵文字を表示することを特徴とする。
【００１１】
このような文書処理装置によれば、第３の状態において、絵文字選択画面に、第２格納部に格納されている絵文字を表示する。これにより、ユーザーは、第３の状態で、選択した単数または複数の絵文字を視認することができる。
【００１２】
［適用例４］上記適用例に係る文書処理装置において、前記絵文字選択画面において、各絵文字は、カテゴリー毎に分類されて表示されており、前記第３の状態において、前記操作受付部は、前記カテゴリーを変更するためのカテゴリー変更操作を受け付け、前記表示部は、前記カテゴリー変更操作によって選択された前記カテゴリーに分類される絵文字を前記絵文字選択画面に表示させることを特徴とする。
【００１３】
このような文書処理装置によれば、第３の状態において、カテゴリー変更操作を受け付けると、表示部は、選択されたカテゴリーに分類される絵文字を絵文字選択画面に表示させる。これにより、ユーザーは、第３の状態で、カテゴリーを変更することが可能となり、異なるカテゴリーに分類される絵文字を選択することができるため、絵文字の選択操作性を向上することができる。
【００１４】
［適用例５］本適用例に係るテープ印刷装置は、選択された文字列に基づいた画像をテープに印刷するテープ印刷装置であって、複数の文字の情報を記憶する文字記憶部と、複数の絵文字の情報を記憶する絵文字記憶部と、前記文字記憶部に記憶された文字の選択操作と、前記絵文字記憶部に記憶された絵文字の選択操作と、所定のキーの入力操作とを受け付ける操作受付部と、選択された文字および絵文字を前記文字列として格納する第１格納部と、選択された絵文字を格納する第２格納部と、文字の選択操作を受け付け、選択された文字を順次前記第１格納部に格納する第１の状態と、単数の絵文字の選択操作を受け付ける第２の状態と、単数または複数の絵文字の選択操作を受け付け、選択された絵文字を前記第２格納部に格納する第３の状態と、を切り換える制御部と、を備え、前記制御部は、前記第２の状態において第１のキーが押下されると、選択中の絵文字を前記第２格納部に格納して前記第３の状態に切り換え、前記第３の状態において第２のキーが押下されると、前記第２格納部に格納された絵文字を前記第１格納部に格納して前記第１の状態に切り換えることを特徴とする。
【００１５】
このようなテープ印刷装置によれば、絵文字を第２格納部へ格納する処理および第３の状態への切り換えを、１回のキー操作（第１のキーの押下）によって行うことができる。そして、第３の状態では複数の絵文字の選択操作を受け付けることが可能となる。さらに、選択された絵文字を第１格納部へ格納する処理および第１の状態への切り換えを、１回のキー操作（第２のキーの押下）によって行うことができる。このように、ユーザーは、複数の絵文字を１つずつ第１格納部に格納する操作を繰り返して行う必要がないため、操作性を向上することができる。
【００１６】
［適用例６］本適用例に係る文書処理装置の制御方法は、複数の文字の情報を記憶する文字記憶部と、複数の絵文字の情報を記憶する絵文字記憶部と、前記文字記憶部に記憶された文字の選択操作と、前記絵文字記憶部に記憶された絵文字の選択操作と、所定のキーの入力操作とを受け付ける操作受付部と、選択された文字および絵文字を文字列として格納する第１格納部と、選択された絵文字を格納する第２格納部と、を有する文書処理装置の制御方法であって、文字の選択操作を受け付け、選択された文字を順次前記第１格納部に格納する第１の状態と、単数の絵文字の選択操作を受け付ける第２の状態と、単数または複数の絵文字の選択操作を受け付け、選択された絵文字を前記第２格納部に格納する第３の状態と、を切り換える制御ステップを備え、前記制御ステップには、前記第２の状態において第１のキーが押下されると、選択中の絵文字を前記第２格納部に格納して前記第３の状態に切り換えるステップと、前記第３の状態において第２のキーが押下されると、前記第２格納部に格納された絵文字を前記第１格納部に格納して前記第１の状態に切り換えるステップと、を備えることを特徴とする。
【００１７】
このような文書処理装置の制御方法によれば、絵文字を第２格納部へ格納する処理および第３の状態への切り換えを、１回のキー操作（第１のキーの押下）によって行うことができる。そして、第３の状態では複数の絵文字の選択操作を受け付けることが可能となる。さらに、選択された絵文字を第１格納部へ格納する処理および第１の状態への切り換えを、１回のキー操作（第２のキーの押下）によって行うことができる。このように、ユーザーは、複数の絵文字を１つずつ第１格納部に格納する操作を繰り返して行う必要がないため、操作性を向上することができる。
【００１８】
［適用例７］本適用例に係るプログラムは、コンピューターに、上記適用例に記載の文書処理装置の制御方法における各ステップを実行させるためのものであることを特徴とする。
【００１９】
このようなプログラムをコンピューターに実行させることにより、文書処理装置は、絵文字を第２格納部へ格納する処理および第３の状態への切り換えを、１回のキー操作（第１のキーの押下）によって行うことができる。そして、第３の状態では複数の絵文字の選択操作を受け付けることが可能となる。さらに、選択された絵文字を第１格納部へ格納する処理および第１の状態への切り換えを、１回のキー操作（第２のキーの押下）によって行うことができる。このように、ユーザーは、複数の絵文字を１つずつ第１格納部に格納する操作を繰り返して行う必要がないため、操作性を向上することができる。
【図面の簡単な説明】
【００２０】
【図１】実施形態のテープ印刷装置を示す斜視図。
【図２】実施形態のテープ印刷装置を示す斜視図。
【図３】テープ印刷装置の回路構成を示すブロック図。
【図４】テープ印刷装置の絵文字入力についての状態遷移図。
【図５】テープ印刷装置の文字入力状態および絵文字入力状態における画面とその遷移の説明図。
【図６】テープ印刷装置の連続絵文字入力状態における画面とその遷移の説明図。
【発明を実施するための形態】
【００２１】
以下、実施形態について説明する。
【００２２】
本実施形態では、文書処理装置の実施形態として、入力された文字列や絵文字に基づいた画像をテープに印刷するテープ印刷装置について説明する。
【００２３】
図１および図２は、本実施形態のテープ印刷装置を示す斜視図である。
図１および図２に示すように、テープ印刷装置１は、本体が筐体１０に収容された構成を有しており、筐体１０の上面手前側には、操作受付部であるキーボード１１が備えられている。キーボード１１は、文字列の入力等、ユーザーによる各種入力操作、選択操作を受け付ける入力部であり、仮名、漢字、アルファベット、数字、および記号等からなる文字列を入力可能な多数の文字キーと、テープ印刷装置１に対して各種動作を指示するための複数の制御キーとを有している。
【００２４】
キーボード１１が備える制御キーには、電源のオンとオフとを切り替えるための電源キー、入力した仮名を漢字に変換するための変換キー、入力した文字列等を確定させるための選択キー、入力した文字列を削除するための削除キー、カーソルの移動等に用いられるカーソルキー、印刷を実行させるための印刷キー、メニュー画面を表示させるためのメニューキー、絵文字選択画面を表示させるための絵文字キー、シフトキー等が含まれる。
【００２５】
筐体１０の上面奥側には、液晶表示装置等からなる表示部１２が備えられている。表示部１２は、マトリクス状に配列された多数の画素で画像を形成するものであり、キーボード１１から入力された文字の表示や、メニュー画面やメッセージ画面の表示等に用いられる。
【００２６】
筐体１０の上面奥側には、表示部１２に隣接して、テープカートリッジ２を装着するための凹部１３が形成されている。凹部１３の開口部上には、開閉蓋１４が開閉可能に備えられており、開閉蓋１４を開放状態にすることによって、テープカートリッジ２を着脱することが可能となる。また、開閉蓋１４には、透光性を有する確認窓１４ａが備えられており、凹部１３にテープカートリッジ２が装着されているか否かを外部から視認可能になっている。凹部１３の底面には、サーマルヘッド１５や、搬送機構１６（図３参照）を構成する回転軸１６ａ，１６ｂが設けられており、凹部１３にテープカートリッジ２を装着すると、テープカートリッジ２に設けられた孔状のヘッド嵌合部２１にサーマルヘッド１５が嵌合するとともに、孔状の被駆動部２２ａ，２２ｂに回転軸１６ａ，１６ｂがそれぞれ係合する。
【００２７】
テープカートリッジ２には、カートリッジケース２０の内部に、ともに帯状のテープＴとインクリボンＲとが内蔵されている。テープＴは、テープ印刷装置１の印刷媒体であり、ＰＥＴ（ポリエチレンテレフタレート）或いは紙材等からなる基材の裏面に接着剤層が形成され、それが剥離紙によって覆われた構成になっている。テープ印刷装置１は、テープＴの幅や素材（基材の材質）、色等が異なる複数種類のテープカートリッジ２に対応可能であり、ユーザーは、用途や好みに応じたテープカートリッジ２を使用することができる。なお、テープカートリッジ２の裏面には、内蔵するテープＴを識別するための複数の孔（図示せず）が設けられており、テープ印刷装置１は、凹部１３の底面に備えられたマイクロスイッチ等の識別センサー１９（図３参照）によって、装着されたテープカートリッジ２のテープ種別を識別することができる。
【００２８】
テープカートリッジ２を凹部１３に装着すると、テープＴの表面は、ヘッド嵌合部２１において、インクリボンＲを介してサーマルヘッド１５と対向する。サーマルヘッド１５には、テープＴの長手方向（搬送方向）と直交する方向に１列に配列された多数の発熱素子（図示せず）が形成されており、各発熱素子を選択的に発熱させることにより、インクリボンＲのインクがテープＴの表面に転写（熱転写）される。つまり、テープＴの表面には、発熱した発熱素子に対応する位置にドットが形成される。ここで、回転軸１６ａ，１６ｂを回転駆動すると、テープＴとインクリボンＲは搬送されて、テープＴはカートリッジケース２０の外部に排出され、インクリボンＲはカートリッジケース２０の内部で巻き取られる。そして、テープＴとインクリボンＲとを少しずつ搬送しながら上記の熱転写を繰り返すことにより、複数のドットで構成される画像がテープＴの表面に印刷される。
【００２９】
筐体１０の側面には、筐体１０の外部と凹部１３とを連通するスリット１７が設けられており、カートリッジケース２０から排出された印刷済みのテープＴは、スリット１７を通って筐体１０の外部に向けて所定量だけ搬送される。筐体１０の内部には、スリット１７を横断するテープＴを切断するためのカッターユニット１８が配設されており、テープＴの印刷済みの部位は、このカッターユニット１８によって切り離され、テープ片（ラベル）としてスリット１７の開口部（テープ排出口）から排出される。
【００３０】
図３は、テープ印刷装置１の回路構成を示すブロック図である。
図３に示すように、テープ印刷装置１は、上述したキーボード１１、表示部１２、サーマルヘッド１５、回転軸１６ａ，１６ｂ（図２参照）を含む搬送機構１６、カッターユニット１８、識別センサー１９の他に、テープ印刷装置１の動作を統括制御する制御部３０、表示部１２に画像を表示させる表示駆動部４１、サーマルヘッド１５を発熱駆動するヘッド駆動部４２、搬送機構１６を駆動する搬送駆動部４３、カッターユニット１８を駆動するカッター駆動部４４等を備えている。
【００３１】
制御部３０は、コンピューターとして機能するものであり、互いにバス３０ａを介して接続されたＣＰＵ（Central Processing Unit）３１、ＲＡＭ（Random Access Memory）３２、ＲＯＭ（Read Only Memory）３３、ＣＧＲＯＭ（キャラクタージェネレーターＲＯＭ）３４、入力インターフェイス（Ｉ／Ｆ）３５、出力インターフェイス（Ｉ／Ｆ）３６等を有している。
【００３２】
ＣＰＵ３１は、ＲＯＭ３３に記憶されている制御プログラムに従って動作し、テープ印刷装置１全体の各種動作を制御する。
【００３３】
ＲＡＭ３２は、揮発性の記憶装置で構成された記憶部であり、ＣＰＵ３１の各種処理結果や、キーボード１１から入力された文字コード列、表示部１２に表示される表示画像データ、サーマルヘッド１５により印刷される印刷画像データ等を一時的に記憶する。本実施形態では、文字コード列を格納するバッファーを文書格納バッファー３２ａと呼ぶ。文書格納バッファー３２ａは第１格納部に相当する。また、選択された絵文字コード列を一時的に格納するバッファーを絵文字格納バッファー３２ｂと呼ぶ。絵文字格納バッファー３２ｂは第２格納部に相当する。なお、これらの文字コード列や絵文字コード列等は、不揮発性の記憶装置であるフラッシュメモリー等に記憶してもよい。
【００３４】
ＲＯＭ３３およびＣＧＲＯＭ３４は、マスクＲＯＭやフラッシュメモリー等の不揮発性の記憶装置で構成された記憶部であり、ＲＯＭ３３には、上述した制御プログラムや各種データ等が記憶されている。
【００３５】
ＣＧＲＯＭ３４には、テープ印刷装置１で印刷可能な文字（絵文字・記号も含む）のフォントデータが記憶されている。フォントデータは、サーマルヘッド１５により印刷される文字や、表示部１２に表示される文字を生成するためのビットマップ形式のデータである。ビットマップ形式のフォントデータは多数のドットで構成されており、各ドットはサーマルヘッド１５の発熱素子や表示部１２の画素に対応する。ＣＧＲＯＭ３４には、複数のフォントのフォントデータが記憶されており、ＣＰＵ３１は、フォントの種別、文字サイズおよび文字コードを指定することによって、対応するフォントデータをＣＧＲＯＭ３４から取得し、このフォントデータを用いて表示画像データおよび印刷画像データを形成する。本実施形態では、文字のフォントデータはＣＧＲＯＭ３４の文字記憶部３４ａに記憶される。また、絵文字のフォントデータはＣＧＲＯＭ３４の絵文字記憶部３４ｂに記憶される。なお、フォントデータとしては、種々の文字サイズに対応させやすいアウトライン形式のフォントデータを用いるようにしてもよい。
【００３６】
入力インターフェイス３５には、キーボード１１および識別センサー１９が接続されている。ユーザーによりキーボード１１が操作されると、キーボード１１は、この操作を入力操作として受け付けて、操作されたキーに対応するキー情報を、入力インターフェイス３５を介してＣＰＵ３１に出力する。また、識別センサー１９は、装着されたテープカートリッジ２のテープ種別に応じた識別情報を、入力インターフェイス３５を介してＣＰＵ３１に出力する。
【００３７】
出力インターフェイス３６には、表示駆動部４１、ヘッド駆動部４２、搬送駆動部４３、およびカッター駆動部４４が接続されており、これらは、ＣＰＵ３１の制御に基づいて、表示部１２、サーマルヘッド１５、搬送機構１６、およびカッターユニット１８をそれぞれ駆動する。
【００３８】
上記のように構成されたテープ印刷装置１において、ユーザーにより電源キーが操作されると、テープ印刷装置１は、動作を開始し、文字キーによる文字の入力や、制御キーによる各種指示が可能な状態となる。
【００３９】
ここで、ユーザーにより文字キーが操作されて文字が入力されると、キーボード１１は、この入力を受け付けて制御部３０にキー情報を出力する。制御部３０は、キーボード１１から入力されるキー情報に基づいて、入力された文字の文字コードを特定し、この文字コードをＲＡＭ３２の文書格納バッファー３２ａに記憶する。また、絵文字や記号の入力の場合には、制御部３０は、絵文字（記号）入力状態おいて選択された絵文字や記号の文字コードを特定し、この文字コードをＲＡＭ３２の文書格納バッファー３２ａに記憶する。そして、制御部３０は、これらの文字コードに対応するフォントデータをＣＧＲＯＭ３４から取得し、このフォントデータを用いて表示画像データを生成する。制御部３０がこの表示画像データを表示駆動部４１に供給すると、入力された文字や絵文字が表示部１２に表示される。そして、ユーザーが文字の入力を複数回繰り返せば、ＲＡＭ３２の文書格納バッファー３２ａには、複数の文字コードを含んだ文字コード列（テキストデータ）が記憶され、表示部１２には、複数の文字や絵文字からなる文字列が表示される。
【００４０】
文字（文字列）が入力された後、ユーザーにより印刷キーが操作されると、テープ印刷装置１は、文書格納バッファー３２ａに格納された文字コード列に基づいて印刷処理を実行する。
【００４１】
以降、テープ印刷装置１の絵文字（記号）入力の動作について説明する。
まず、テープ印刷装置１の絵文字入力の状態遷移について、状態遷移図を用いて説明する。図４は、本実施形態に係るテープ印刷装置１の絵文字入力についての状態遷移図である。
【００４２】
図４に示すように、テープ印刷装置１は、第１の状態としての文字入力状態ＳＴ１１、第２の状態としての絵文字入力状態ＳＴ１２、および第３の状態としての連続絵文字入力状態ＳＴ１３に遷移可能となっている。
【００４３】
テープ印刷装置１は、電源キーが押下されると、文字入力状態ＳＴ１１となる。文字入力状態ＳＴ１１は、テープ印刷装置１が、文字入力を受け付ける状態である。文字入力状態ＳＴ１１においては、表示部１２に文字入力のための画面が表示されている。文字入力のための画面については後述する。
【００４４】
文字入力状態ＳＴ１１において、キーボード１１に備わる絵文字キーが押下されると、テープ印刷装置１は、絵文字入力状態ＳＴ１２に遷移する。絵文字入力状態ＳＴ１２は、テープ印刷装置１が、絵文字や記号の選択入力を受け付ける状態である。絵文字入力状態ＳＴ１２においては、表示部１２に絵文字選択のための画面が表示されている。絵文字選択のための画面については後述する。
【００４５】
絵文字入力状態ＳＴ１２において、キーボード１１に備わるシフトキーおよび選択キーが同時に押下されると、テープ印刷装置１は、連続絵文字入力状態ＳＴ１３に遷移する。また、絵文字入力状態ＳＴ１２において、キーボード１１に備わる選択キーが押下されると、テープ印刷装置１は、文字入力状態ＳＴ１１に遷移する。
【００４６】
連続絵文字入力状態ＳＴ１３は、テープ印刷装置１が、絵文字や記号の連続選択入力を受け付ける状態である。連続絵文字入力状態ＳＴ１３においては、表示部１２に連続絵文字選択のための画面が表示されている。連続絵文字選択のための画面については後述する。
【００４７】
連続絵文字入力状態ＳＴ１３において、キーボード１１に備わる選択キーが押下されると、テープ印刷装置１は、文字入力状態ＳＴ１１に遷移する。
【００４８】
次に、テープ印刷装置１の各状態における画面の遷移と処理について説明する。
図５は、テープ印刷装置１の文字入力状態ＳＴ１１および絵文字入力状態ＳＴ１２における画面とその遷移の説明図である。
図６は、テープ印刷装置１の連続絵文字入力状態ＳＴ１３における画面とその遷移の説明図である。
【００４９】
図５の画面Ｇ１０１は、文字入力状態ＳＴ１１であり、文字がまだ入力されていない状態の画面を表している。ここで、数字の「１」は、１行目を表している。画面Ｇ１０２において、ユーザーによって「ラベル」と文字入力されると、制御部３０は「ラベル」の文字列の文字コードを文書格納バッファー３２ａに格納する。そして、制御部３０は、文字入力状態ＳＴ１１を維持したまま、表示部１２に画面Ｇ１０２のように、「ラベル」という文字列を表示させる。
【００５０】
画面Ｇ１０２において、キーボード１１に備わる絵文字キーが押下されると、制御部３０は、表示部１２に絵文字選択のための画面Ｇ１０３を表示させ、絵文字入力状態ＳＴ１２に遷移させる。画面Ｇ１０３の上部には、「絵文字」または「記号」の文字列が表示される。本実施形態では、「記号」が表示されている。そして、画面Ｇ１０３の「記号」の下部には、「記号」に含まれるカテゴリーの候補として、「省略」、「記述」、「括弧」の文字列が縦に並んで表示されている。ここで、「記述」の文字列は、反転表示されており、カーソルがあることを表している。画面Ｇ１０３のカテゴリー表示の右側には、現在カーソルがある「記述」カテゴリーに含まれる絵文字（記号）が表示されている。
【００５１】
画面Ｇ１０３において、下カーソルキーが数回押下されると、制御部３０は、画面Ｇ１０４のように、絵文字入力状態ＳＴ１２を維持したまま、異なるカテゴリーの候補を表示させる。画面Ｇ１０４では「数字」カテゴリーにカーソルがある状態となっており、その右側には、「数字」カテゴリーに含まれる絵文字（記号）が表示されている。
【００５２】
画面Ｇ１０４において、選択キーが押下されると、制御部３０は、「数字」カテゴリーを選択させ、表示部１２に画面Ｇ１０５のような、絵文字選択のための画面を表示させる。絵文字選択画面Ｇ１０５では、画面の上部に、「記号」とカテゴリーを示す「数字」の文字列が表示される。そして、絵文字選択画面Ｇ１０５の下部には、右側に「数字」カテゴリーに含まれる絵文字（記号）の候補が一覧表示され、その中で、現在カーソルがある絵文字は反転表示されている。そして、現在カーソルがある絵文字は、候補一覧の左側に、拡大されて表示される。本実施形態では、「丸付き数字の１（以降、（１）で表す）」が拡大表示されている。なお、以降、丸付き数字は、数字に括弧（）を付して表す。
【００５３】
画面Ｇ１０５において、選択キーが押下されると、制御部３０は「（１）」を選択し、「（１）」の文字コードを文書格納バッファー３２ａに格納する。そして、制御部３０は、表示部１２に文字入力のための画面Ｇ１０６を表示させ、文字入力状態ＳＴ１１に遷移させる。画面Ｇ１０６では、「ラベル」の文字列の右側に絵文字「（１）」が挿入されている。
【００５４】
画面Ｇ１０５において、シフトキーおよび選択キーが同時押下されると、制御部３０は「（１）」を選択し、「（１）」の文字コードを絵文字格納バッファー３２ｂに格納する。そして、制御部３０は、表示部１２に連続絵文字選択のための画面Ｇ１０７を表示させ、連続絵文字入力状態ＳＴ１３に遷移させる。画面Ｇ１０７では、画面の上部に、「記号」と「数字」と連続絵文字入力状態を示す「連続」の文字列が表示される。そして、その下部には、連続入力されている絵文字を表示するための連続入力絵文字表示欄ＰＣを示す括弧が表示されている。ここでは、連続入力絵文字表示欄ＰＣには、選択されて絵文字格納バッファー３２ｂに格納された「（１）」が表示される。さらに、絵文字選択画面Ｇ１０７の下部には、右側に「数字」カテゴリーに含まれる絵文字（記号）の候補が一覧表示され、その中で、現在カーソルがある絵文字は反転表示されている。そして、現在カーソルがある絵文字は、候補一覧の左側に、拡大されて表示されている。本実施形態では、「（１）」が拡大表示されている。
【００５５】
画面Ｇ１０７において、右カーソルキーが押下されると、制御部３０は、連続絵文字入力状態ＳＴ１３を維持したまま、表示部１２に図６に示す連続絵文字選択のための画面Ｇ２０１を表示させる。画面Ｇ２０１では、「（２）」にカーソルがある状態となっている。画面Ｇ２０１において、シフトキーおよび選択キーが同時押下されると、制御部３０は、「（２）」を選択し、「（２）」の文字コードを絵文字格納バッファー３２ｂに追加格納する。そして、制御部３０は、連続絵文字入力状態ＳＴ１３を維持しつつ、表示部１２に画面Ｇ２０２を表示させる。ここで、連続入力絵文字表示欄ＰＣには、選択されて絵文字格納バッファー３２ｂに格納された「（２）」が追加表示される。
【００５６】
画面Ｇ２０２において、右カーソルキーが押下されると、制御部３０は、連続絵文字入力状態ＳＴ１３を維持したまま、表示部１２に画面Ｇ２０３を表示させる。画面Ｇ２０３では、「（３）」にカーソルがある状態となっている。画面Ｇ２０３において、シフトキーおよび選択キーが同時押下されると、制御部３０は、「（３）」を選択し、「（３）」の文字コードを絵文字格納バッファー３２ｂに追加格納する。そして、制御部３０は、連続絵文字入力状態ＳＴ１３を維持しつつ、表示部１２に画面Ｇ２０４を表示させる。ここで、連続入力絵文字表示欄ＰＣには、選択されて絵文字格納バッファー３２ｂに格納された「（３）」が追加表示される。
【００５７】
画面Ｇ２０４において、選択キーが押下されると、制御部３０は、絵文字格納バッファー３２ｂに格納されている「（１）（２）（３）」の文字コードを読み出して、文書格納バッファー３２ａに格納する。そして、制御部３０は、表示部１２に文字入力のための画面Ｇ２０５を表示させ、文字入力状態ＳＴ１１に遷移する。画面Ｇ２０５では、「ラベル」の文字列の右側に、絵文字「（１）（２）（３）」が挿入される。
【００５８】
ここで、連続絵文字入力状態ＳＴ１３において、絵文字のカテゴリーを変更する場合について説明する。
画面Ｇ２０４において、絵文字キーが押下されると、制御部３０は、連続絵文字入力状態ＳＴ１３を維持したまま、表示部１２に画面Ｇ２０６を表示させる。画面Ｇ２０６は、絵文字選択のための画面から１段階階層を戻って、カテゴリーを選択する画面となっている。そして、ここでは「数字」カテゴリーにカーソルがある状態になっている。
【００５９】
画面Ｇ２０６において、上カーソルキーが押下されると、制御部３０は、「算数」カテゴリーにカーソルを移動して、表示部１２に画面Ｇ２０７を表示させる。このとき、画面Ｇ２０７の右側には、「算数」カテゴリーに含まれる絵文字（記号）が表示されている。
【００６０】
画面Ｇ２０７において、選択キーが押下されると、制御部３０は、「算数」カテゴリーを選択し、連続絵文字入力状態ＳＴ１３を維持したまま、表示部１２に絵文字選択するための画面Ｇ２０８を表示させる。画面Ｇ２０８では、画面の上部に、「記号」と「算数」と「連続」の文字列が表示される。そして、その下部には、連続入力されている絵文字を表示するための連続入力絵文字表示欄ＰＣが表示される。連続入力絵文字表示欄ＰＣには、事前に選択されて絵文字格納バッファー３２ｂに格納されている「（１）（２）（３）」が表示される。さらに、絵文字選択画面Ｇ２０８の下部には、右側に「算数」カテゴリーに含まれる絵文字（記号）の候補が一覧表示され、その中で、現在カーソルがある絵文字は反転表示されている。そして、現在カーソルがある絵文字は、候補一覧の左側に、拡大して表示される。本実施形態では、「＋」が拡大表示されている。
【００６１】
画面Ｇ２０８において、シフトキーおよび選択キーが同時押下されると、制御部３０は、「＋」を選択し、「＋」の文字コードを絵文字格納バッファー３２ｂに追加格納する。そして、制御部３０は、表示部１２に画面Ｇ２０９を表示させる。連続入力絵文字表示欄ＰＣには、選択されて絵文字格納バッファー３２ｂに格納された「＋」が追加表示される。このように、連続絵文字入力状態ＳＴ１３において、ユーザーは絵文字のカテゴリーを変更することができる。
【００６２】
上述したように、連続絵文字入力状態ＳＴ１３では、ユーザーは絵文字を連続して選択することができ、テープ印刷装置１は、絵文字を絵文字格納バッファー３２ｂに格納して画面に表示することができる。さらに、ユーザーの操作により、テープ印刷装置１は、絵文字格納バッファー３２ｂに格納された絵文字を文書格納バッファー３２ａに格納し、画面に表示することができる。そして、テープ印刷装置１は、文書格納バッファー３２ａに格納された文字列をテープＴに印刷することができる。
【００６３】
上述した実施形態によれば、以下の効果が得られる。
（１）テープ印刷装置１は、絵文字入力状態ＳＴ１２においてシフトキーおよび選択キーの同時押下がなされると、選択中の絵文字を絵文字格納バッファー３２ｂへ格納させて、連続絵文字入力状態ＳＴ１３に遷移する。このように、絵文字を絵文字格納バッファー３２ｂへ格納する処理および連続絵文字入力状態ＳＴ１３への状態遷移を、１回のキー操作（シフトキーおよび選択キーの同時押下）によって行うことが可能になる。よって、ユーザーの操作性を向上することができる。
【００６４】
（２）テープ印刷装置１は、連続絵文字入力状態ＳＴ１３において、選択キーの押下がなされると、絵文字格納バッファー３２ｂの絵文字を文書格納バッファー３２ａへ格納して、文字入力状態ＳＴ１１に遷移する。このように、連続絵文字入力状態ＳＴ１３において選択された複数の絵文字を文書格納バッファー３２ａへ格納する処理および文字入力状態ＳＴ１１への状態遷移を、１回のキー操作（選択キーの押下）によって行うことが可能になる。よって、ユーザーの操作性を向上することができる。また、選択キーによって上記処理を行うことができるため、テープ印刷装置１に専用のキーを設ける必要がない。
【００６５】
（３）テープ印刷装置１は、連続絵文字入力状態ＳＴ１３においては、絵文字が選択されると、選択された絵文字を絵文字格納バッファー３２ｂに格納し、連続絵文字入力状態ＳＴ１３を維持する。これにより、ユーザーは、絵文字選択のための画面を表示した連続絵文字入力状態ＳＴ１３で、複数の絵文字を連続して選択することが可能になる。つまり、ユーザーは、複数の絵文字を１つずつ選択して文書格納バッファー３２ａに格納させる操作、即ち絵文字選択画面を表示させて、１つの絵文字を選択して文字入力画面に挿入する操作を繰り返して行う必要がない。よって、ユーザーの操作性を向上することができる。
【００６６】
（４）テープ印刷装置１は、連続絵文字入力状態ＳＴ１３において、絵文字格納バッファー３２ｂに格納されている絵文字を連続入力絵文字表示欄ＰＣに表示する。これにより、ユーザーは、連続絵文字入力状態ＳＴ１３で、選択した単数または複数の絵文字を視認することができるため、利便性が向上する。
【００６７】
（５）テープ印刷装置１は、連続絵文字入力状態ＳＴ１３において、絵文字のカテゴリーを変更することが可能である。これにより、ユーザーは、異なるカテゴリーに分類される絵文字を選択することができるため、絵文字の選択操作性が向上する。
【００６８】
（６）テープ印刷装置１は、選択して文書格納バッファー３２ａに格納された絵文字や文字をテープＴに印刷することができる。これにより、ユーザーは好みのラベルを作成することができる。
【００６９】
また、上述した実施形態は、上記機能を実現するためのプログラムをコンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、テープ印刷装置の内部記憶装置（ＲＡＭやＲＯＭ等の半導体メモリー）、及び外部記憶装置（ＵＳＢ（Universal Serial Bus）メモリー等）等、前記コンピューターが読み取り可能な種々の媒体を利用することができる。
【００７０】
なお、上述した実施形態に限定されず、種々の変更や改良等を加えて実施することが可能である。変形例を以下に述べる。
【００７１】
（変形例１）上記実施形態では、連続絵文字入力状態ＳＴ１３において、絵文字格納バッファー３２ｂに絵文字を追加可能としたが、絵文字格納バッファー３２ｂから絵文字の削除を可能としてもよい。例えば、連続絵文字入力状態ＳＴ１３で絵文字格納バッファー３２ｂに複数の絵文字が格納されている場合、即ち連続入力絵文字表示欄ＰＣに複数の絵文字が表示されている場合において、削除キーを押下することで、格納されている絵文字を削除することが可能である。これにより、絵文字の選択操作性を向上することができる。
【００７２】
（変形例２）上記実施形態では、絵文字入力状態ＳＴ１２において、シフトキーと選択キーの同時押下によって、連続絵文字入力状態ＳＴ１３に遷移するものとしたが、連続絵文字入力状態ＳＴ１３に遷移するためのキーは、他の単独のキーとしてもよい。
【００７３】
（変形例３）上記実施形態では、文書処理装置としてテープ印刷装置１を例にして説明しているが、文書処理装置はテープ印刷装置に限定するものではない。例えば、絵文字の選択が可能なワードプロセッサー等に適用することも可能である。
【００７４】
（変形例４）上記実施形態では、テープＴに文字等を印刷するための印刷方式として、サーマルヘッド１５による熱転写方式を用いているが、この方式に限られず、インク滴を吐出するインクジェット方式等、他の印刷方式を用いてもよい。
【符号の説明】
【００７５】
１…テープ印刷装置、２…テープカートリッジ、１０…筐体、１１…キーボード、１２…表示部、１３…凹部、１４…開閉蓋、１４ａ…確認窓、１５…サーマルヘッド、１６…搬送機構、１６ａ，１６ｂ…回転軸、１７…スリット、１８…カッターユニット、１９…識別センサー、２０…カートリッジケース、２１…孔状のヘッド嵌合部、２２ａ，２２ｂ…孔状の被駆動部、３０…制御部、３０ａ…バス、３１…ＣＰＵ、３２…ＲＡＭ、３２ａ…文書格納バッファー、３２ｂ…絵文字格納バッファー、３３…ＲＯＭ、３４…ＣＧＲＯＭ、３４ａ…文字記憶部、３４ｂ…絵文字記憶部、３５…入力インターフェイス（Ｉ／Ｆ）、３６…出力インターフェイス（Ｉ／Ｆ）、４１…表示駆動部、４２…ヘッド駆動部、４３…搬送駆動部、４４…カッター駆動部。
【図１】
2012113463.tif 000003
【図２】
2012113463.tif 000004
【図３】
2012113463.tif 000005
【図４】
2012113463.tif 000006
【図５】
2012113463.tif 000007
【図６】
2012113463.tif 000008